(57)【要約】【課題】ショーケース内に温蔵室と冷蔵室を設け、一つのショーケースで、温かい惣菜、冷たい惣菜及び冷飲料を一度に購入することができるようなショーケースを提供することを目的とする。【解決手段】断熱壁内に冷蔵室と、温蔵室と、冷蔵室を冷却する冷却ユニットとを備えたものであって、ショーケースの下方を冷蔵室、上方を温蔵室として、前記冷蔵室と温蔵室を仕切る仕切棚を設けると共に、前記仕切棚内に加温用ヒータ及びショーケースに内蔵された圧縮機からの吐出ガス管を設けたことを特徴とする。【選択図】図４
2012215342.tif 000002
【特許請求の範囲】
【請求項１】
断熱壁内に冷蔵室と、温蔵室と、冷蔵室を冷却する冷却ユニットとを備えたショーケースにおいて、ショーケースの下方を冷蔵室、上方を温蔵室として、前記冷蔵室と温蔵室を仕切る仕切棚を設けると共に、前記仕切棚内に加温用ヒータ及びショーケースに内蔵された圧縮機からの吐出ガス管を設けたことを特徴とするショーケース。
【請求項２】
前記ショーケースにおいて、仕切棚内の加温用ヒータ及び吐出ガス管より下部に引き出しを設けたことを特徴とする請求項１に記載のショーケース。
【請求項３】
前記ショーケースにおいて、圧縮機が停止した時に、加温用ヒータが通電することを特徴とする請求項１に記載のショーケース。
【請求項４】
前記ショーケースにおいて、温蔵室の前方にスライド扉を設けたことを特徴とする請求項１に記載のショーケース。
【発明の詳細な説明】
【技術分野】
【０００１】
本発明は、断熱壁内に冷蔵室と温蔵室とを備えたショーケースに関するものである。
【背景技術】
【０００２】
従来より、この種のショーケースには、オープンショーケースとして、前面が開口した陳列室の上部前端に設けた吹出口から吹き出されて陳列室の下部前端に設けた吸込口に吸い込まれる冷気のエアカーテンで陳列室の開口部を覆うことにより陳列室内を冷却するオープンショーケースが提案されている（例えば、特許文献１参照）。
【特許文献１】特開２０１０−２５９４１６号公報
【発明の開示】
【発明が解決しようとする課題】
【０００３】
しかしながら、前述の公報では、煮物等の温かい惣菜と、サラダ等の冷たい惣菜と、お茶等の冷飲料はそれぞれ異なるショーケースに陳列されている。
【０００４】
温かい惣菜、冷たい惣菜及び冷飲料を一緒に購入する場合には、それぞれ陳列された複数のケースを見る必要があり、また、買い忘れた場合にはそのショーケースまで戻る必要があることに加えて、一緒の陳列棚に陳列されているため起こりうるついで買い等の購入者の販売意欲を掻き立てるようなことができないため、販売向上の見込みが低いため、改善が望まれていた。
【０００５】
本発明は上記課題を解決するためになされたものであり、ショーケース内に温蔵室と冷蔵室を設け、一つのショーケースで、温かい惣菜、冷たい惣菜及び冷飲料を一度に購入することができるようなショーケースを提供することを目的とする。
【課題を解決するための手段】
【０００６】
本発明のショーケースは、断熱壁内に冷蔵室と、温蔵室と、冷蔵室を冷却する冷却ユニットとを備えたショーケースにおいて、ショーケースの下方を冷蔵室、上方を温蔵室として、前記冷蔵室と温蔵室を仕切る仕切棚を設けると共に、前記仕切棚内に加温用ヒータ及びショーケースに内蔵された圧縮機からの吐出ガス管を設けたことを特徴とする。
【０００７】
請求項２の発明のショーケースは、上記発明において、仕切棚内の加温用ヒータ及び吐出ガス管より下部に引き出しを設けたことを特徴とする。
【０００８】
請求項３の発明のショーケースは、請求項１において、圧縮機が停止した時に、加温用ヒータが通電することを特徴とする。
【０００９】
請求項４の発明のショーケースは、請求項１の発明において、温蔵室の前方にスライド扉を設けたことを特徴とする。
【発明の効果】
【００１０】
本発明の請求項１のショーケースによれば、断熱壁内に冷蔵室と、温蔵室と、冷蔵室を冷却する冷却ユニットとを備えたショーケースにおいて、ショーケースの下方を冷蔵室、上方を温蔵室として、前記冷蔵室と温蔵室を仕切る仕切棚を設けると共に、前記仕切棚内に加温用ヒータ及びショーケースに内蔵された圧縮機からの吐出ガス管を設けたことにより、冷蔵室を冷却することができると共に、温蔵室を温めることができる。
【００１１】
これにより、今までは温かい惣菜、冷たい惣菜及び冷飲料を別々のショーケースで販売していたものを、一つのショーケースに陳列することができるようになり、購入者の購入意欲を増すのに効果的である。
【００１２】
また、仕切棚内の加温用ヒータ及び吐出ガス管より下部に引き出しを設けたことにより、引き出し内は加熱及び冷却をされることなく、温蔵室や冷蔵室に陳列された惣菜を購入するためのハシやトング、及び惣菜を入れるためのパックやトレイを収納することができるため、購入したい時にすぐに商品を選択することが可能にある。
【００１３】
また、圧縮機が停止した時に、加温用ヒータが通電することにより、圧縮機が停止しても、仕切棚に設けた加温用ヒータが通電することにより、温蔵室を加温及び保温することができる。
【００１４】
更に、温蔵室の前方にスライド扉を設けたことにより、温蔵室内の熱が外部へ放出することを抑制することができることに加えて、外部からのゴミや埃の侵入を抑制することがでる。
【図面の簡単な説明】
【００１５】
【図１】実施例に則したショーケースの縦断面図である。
【図２】実施例に則したショーケースの正面図である。
【図３】温蔵室への吐出冷媒を流す冷媒回路図である。
【図４】実施例に則した温蔵室の拡大図である。
【図５】実施例に則した電気配線図である。
【発明を実施するための形態】
【００１６】
以下、図面に基づき本発明の実施形態を詳述する。
【００１７】
図１は本発明を適用した実施例としてのショーケース１の縦断面図である。また、図２は、本発明を適用した実施例としてのショーケース１の正面図であり、図４は、温蔵室7を拡大した縦断面図である。
【００１８】
実施例のショーケース１は縦型のショーケース１であり、断面コ字状の断熱壁３と、断熱壁３の内側には区画板４が配されている。
【００１９】
また、ショーケースの上部には温蔵室７、下部には冷蔵室８が配されている
【００２０】
温蔵室７内、冷蔵室８内にはそれぞれの陳列棚９ａ、９ｂが設けられている。また、冷蔵室の底部にはデックパン１０が取り付けられ、このデックパンの下方には背面のダクト２に連通した底部ダクト１１が配されている。ダクト２の下部には冷却器１６が縦設されている。
【００２１】
温蔵室７と冷蔵室８は仕切棚５により仕切られていると共に、仕切棚５の下部にはスライド式の引き出し２２が設けられている。
【００２２】
温蔵室７内の陳列棚９ａと仕切棚５には、温かい惣菜等を陳列することができるようにバット２０を置くことができるようになっている。また、スライド式の引き出し２２の内部には、温蔵室や冷蔵室に陳列された惣菜を購入するためのハシやトング、及び惣菜を入れるためのパックやトレイを収納することができるため、購入したい時にすぐに商品を選択することが可能にある。
【００２３】
さらに、温蔵室７の前面には、スライド扉２１が設けられており、温蔵室７内の熱が外部へ放出することを抑制することができることに加えて、外部からのゴミや埃の侵入を抑制することがでる。
【００２４】
冷蔵室８の前面下部には底部ダクト１１に連なる吸込口２４が配され、吸込口より空気が底部ダクト１１、冷却器用送風機１２、冷却器１６を通り、冷気吐出口２５より冷蔵室に吹き出され、冷却器１６を通過することにより、冷却された冷気により冷蔵室８が冷却されている。
【００２５】
また、仕切棚５内には加温用ヒータ１８が設けられており、温蔵室７を加温および保温することが出来る。
【００２６】
図３は、本発明の冷媒回路図であり、図５は本発明の電気配線図である。
【００２７】
圧縮機１３で圧縮された冷媒は、仕切棚５内に設けられた吐出ガス管１９に供給され、仕切棚５を加温した後、凝縮器１４の一部で凝縮し、圧縮機１３に戻され、再度圧縮される。再度圧縮された冷媒は、凝縮器の一部以外の凝縮器１４で凝縮した後、ドライコア、電磁弁キャピラリーチューブを通過し、冷却器１６にて冷却作用をし、逆止弁、アキュームレータを通過し、圧縮機１３に戻される。
【００２８】
また機械室６には、凝縮器１４、凝縮器用送風機１５が配設されており、凝縮器用送風機１５により機械室６前面に設けられた吸気口１７より吸気されることにより凝縮器１４、圧縮機１３が冷却される。
【００２９】
また、仕切棚５を加熱する高温冷媒は、約４０度〜９０度程度の温度であり、十分に温蔵室内を加温又は保温することができる。
【００３０】
以上の冷媒回路により、冷蔵室８内に陳列された冷たい惣菜や冷飲料等が冷却されると共に、温蔵室５内に陳列された温かい惣菜等が加温又は保温されることとなる。
【００３１】
また、圧縮機１３は冷蔵室８を冷却するために運転しており、冷蔵室８内の温度センサーにより、サーモ４２がＯＮ−ＯＦＦし、マグネットスイッチ４３のコイルが働くことで動作する仕組みになっている。圧縮機１３が停止した場合にも、加温用ヒータ５０に通電することで、温蔵室７を加温又は保温することができる。
【００３２】
また、仕切棚５の過熱を防止するために圧縮機１３からの高温冷媒が通過する電気配線内にバイメタルサーモ４１を取りつけているので、必要以上に仕切棚５が加温されることもないため、温蔵室７内に陳列されている惣菜等に影響を与えることもない。
【００３３】
更に、引き出し２２は、仕切棚５内おいて加温用ヒータ１８及び吐出ガス管１９より下部に設けられており、引き出し２２内は加熱及び冷却をされることなく、常温となっている。
【００３４】
本実施例は一つのショーケースに、２種類の温度帯のものが陳列できるので、購入者側にとって、購買意欲を増大させることが出来ることに加えて、購入者のついで買いの機会も上昇することが期待され、購入者の利便性が高まることも期待できる。
【００３５】
本実施例では、ショーケースの上部を温蔵室、下部を冷蔵室としたが、上部を冷蔵室、下部を温蔵室としてもよい。
【００３６】
また、本実施例では、圧縮機の運転が停止した場合に、加温用ヒータを通電するようにしたが、加温用ヒータを常時通電としてもよい。
【符号の説明】
【００３７】
１    ショーケース
５    仕切棚
７    温蔵室
８    冷蔵室
１３  圧縮機
１８  加温用ヒータ
１９  吐出ガス管
２１  スライド扉
２２  引き出し
【図１】
2012215342.tif 000003
【図２】
2012215342.tif 000004
【図３】
2012215342.tif 000005
【図４】
2012215342.tif 000006
【図５】
2012215342.tif 000007